(57)【要約】【課題】  外部から家屋内に入って来た人の着衣に付着している花粉等を、集中的、かつ効果的に除去することができるようにした花粉除去装置を提供する。【解決手段】  通路１の出入り口２に、密閉可能な花粉除去室９を形成し、この花粉除去室９内に、イオン化した空気を供給することにより、静電気除去領域２０を形成する静電気除去手段Ｂと、静電気除去領域２０内の空気を吸引するとともに、静電気除去領域２０内において、静電気が除去されることにより、着衣等から遊離した花粉等を捕捉する空気清浄手段Ｃとを設ける。【選択図】        図１
2006312142.tif 000002
【特許請求の範囲】
【請求項１】
通路の出入り口に、密閉可能な花粉除去室を形成し、この花粉除去室内に、イオン化した空気を供給することにより、静電気除去領域を形成する静電気除去手段と、前記静電気除去領域内の空気を吸引するとともに、前記静電気除去領域内において、静電気が除去されることにより、着衣等から遊離した花粉等を捕捉する空気清浄手段とを設けたことを特徴とする花粉除去装置。
【請求項２】
花粉除去室の外側に、通路の出入り口の外側に人が近づいたことを感知する人感センサを設け、この人感センサの作動と同時、または予め設定した遅延時間後に、静電気除去手段と空気清浄手段とを作動させるようにした制御手段を設けたことを特徴とする請求項１記載の花粉除去装置。
【請求項３】
静電気除去手段と空気清浄手段とを、花粉除去室内に配設され、一端部に吐出口かつ他端部に吸込口が設けられた単一の筐体と、この筐体内に設けられ、吸込口から吸引した空気を、吐出口より吐出させる送風機と、前記筐体内における吐出口より上流側の送風路中に設けられ、送風中にプラスイオンとマイナスイオンとを同時に発生するイオン発生器と、前記筐体内における吸込口より下流側の送風路中に設けられ、吸引された空気中の花粉を含む微粒子を捕捉する集塵器とにより、一体的に形成したことを特徴とする請求項１または２記載の花粉除去装置。
【発明の詳細な説明】
【技術分野】
【０００１】
本発明は、花粉除去装置、特に、家屋の出入り口に配設して、外部から家屋内に入ってきた人の着衣に付着している花粉や塵埃、その他の微粒子(これらを総称して花粉等という)を効果的に除去しうるようにした装置に関する。
【背景技術】
【０００２】
従来の花粉除去装置としては、専ら室内の空気中に浮遊している塵埃や臭気とともに、花粉をも除去しうるようにした、空気清浄機タイプのものが多い(例えば特許文献１〜３参照)。
【特許文献１】特開２００４−１１６９８１号公報
【特許文献２】特開２００２−３９５６５号公報
【特許文献３】特開平１１−１６６７５４号公報
【発明の開示】
【発明が解決しようとする課題】
【０００３】
しかし、上述の特許文献１〜３に記載されている装置は、室内の空気中に浮遊している花粉等を除去し得ても、人の着衣に付着した花粉等までは十分に除去することはできず、まして、外部から家屋内に入って来た人の着衣に付着している花粉等を集中的に除去するといったことは、それらからは到底想起し得ないところである。
【０００４】
本発明は、従来の技術が有する上記のような問題点に鑑み、外部から家屋内に入って来た人の着衣に付着している花粉等を、集中的、かつ効果的に除去することができるようにした花粉除去装置を提供することを目的としている。
【課題を解決するための手段】
【０００５】
本発明によると、上記課題は、次のようにして解決される。
（１）通路の出入り口に、密閉可能な花粉除去室を形成し、この花粉除去室内に、イオン化した空気を供給することにより、静電気除去領域を形成する静電気除去手段と、前記静電気除去領域内の空気を吸引するとともに、前記静電気除去領域内において、静電気が除去されることにより、着衣等から遊離した花粉等を捕捉する空気清浄手段とを設ける。
【０００６】
（２）上記(１)項において、花粉除去室の外側に、通路の出入り口の外側に人が近づいたことを感知する人感センサを設け、この人感センサの作動と同時、または予め設定した遅延時間後に、静電気除去手段と空気清浄手段とを作動させるようにした制御手段を設ける。
【０００７】
（３）上記(１)または(２)項において、静電気除去手段と空気清浄手段とを、花粉除去室内に配設され、一端部に吐出口かつ他端部に吸込口が設けられた単一の筐体と、この筐体内に設けられ、吸込口から吸引した空気を、吐出口より吐出させる送風機と、前記筐体内における吐出口より上流側の送風路中に設けられ、送風中にプラスイオンとマイナスイオンとを同時に発生するイオン発生器と、前記筐体内における吸込口より下流側の送風路中に設けられ、吸引された空気中の花粉を含む微粒子を捕捉する集塵器とにより、一体的に形成する。
【発明の効果】
【０００８】
本発明によると、次のような効果を奏することができる。
(１)  請求項１記載の発明によると、外部から家屋内に入って来た人が、花粉除去室内に入り、花粉除去室を密閉して、静電気除去手段と空気清浄手段とを作動させると、静電気除去手段から供給されるプラスイオンとマイナスイオンとにイオン化された空気が、静電気除去領域内において、着衣に付着した花粉等に当たることにより、花粉等に帯電した静電気が除去され、静電気により着衣に吸着されていた花粉等は、着衣から遊離する。
着衣から遊離した花粉等は、静電気除去領域内の空気とともに、空気清浄手段に吸引され、そこで捕捉される。
したがって、外部から家屋内に入って来た人の着衣に付着している花粉等を、集中的、かつ効果的に除去することができる。
【０００９】
(２)  請求項２記載の発明によると、通路の出入り口の外側に人が近づくと、人感センサが作動し、それと同時か、または予め設定した遅延時間後に、静電気除去手段と空気清浄手段とが作動させられるので、外部から入ってきた人が、花粉除去室に入ったときには、静電気除去手段と空気清浄手段とにより、花粉除去室内に、すでに静電気除去雰囲気が形成されており、花粉等の除去作業が迅速に行われる。
【００１０】
(３)  請求項３記載の発明によると、単一の筐体内に、静電気除去手段と空気清浄手段とを効率よく組み合わせて、一体的に形成することができ、特に、単一の送風機を、静電気除去手段と空気清浄手段とに共用することができ、装置全体の小型化と、製造コストの低減を図ることができる。
【発明を実施するための最良の形態】
【００１１】
以下、本発明の一実施形態を、添付図面を参照して説明する。
図１は、本発明の一実施形態を備える家屋の玄関部分の横断平面図、図２は、図１のII−II線に沿う拡大縦断面図、図３は、花粉除去装置の本体の正面図、図４は、制御回路のブロック図である。
【００１２】
図１〜図３に示すように、家屋における廊下等の通路(１)の出入り口(２)である玄関部分に、左右の側壁(３)(３)と、ドア(４)を備える玄関壁(５)と、床(６)と、天井(７)と、通路(１)に設けたドア(８)とにより密閉可能な花粉除去室(９)が形成され、その花粉除去室(９)内における一方の側壁(３)寄りに、花粉除去装置の本体(10)が配設されている。
【００１３】
本体(10)は、縦長の直方体状の筐体(11)を有しており、その筐体(11)の正面板(11a)における上部には吸込口(12)、中間部にはイオン発生確認ランプ(13)、下部には吐出口(14)が、それぞれ設けられている。
【００１４】
筐体(11)内には、吸込口(12)から吸引した空気を、下方を向く送風路(15)に沿って送り、吐出口(14)より吐出させる送風ファンとした送風機(16)と、吐出口(14)より上流側の送風路(15)中に設けられ、送風中にイオンを発生するイオン発生器(17)と、吸込口(12)の下流側の送風路(15)中に設けられ、吸引された空気中の花粉を含む微粒子を捕捉する集塵器(18)と、制御装置(制御手段)(19)とが設けられている。
【００１５】
イオン発生器(17)は、送風路(15)中に配設した電極対(図示略)間に高電位を印加し、電極対間にコロナ放電を起こさせて、プラスイオンとマイナスイオンとにイオン化された空気を発生させるようにした公知のものである。
このイオン発生器(17)により発生したイオン化空気が、吐出口(14)より吐出されることにより、花粉除去室(９)内に、静電気除去領域(20)が形成される。
イオン発生器(17)の作動中は、イオン発生確認ランプ(13)が点灯するようになっている。
【００１６】
集塵器(18)は、筐体(11)内における吸込口(12)の内側に設けられた角筒状のケース(21)内に、花粉等の微粒子を捕捉する集塵フィルタ(22)を設け、かつその下方に、集塵フィルタ(22)より落下した花粉等の微粒子を受ける受け容器(23)が、着脱自在に装着されている。
【００１７】
吐出口(14)には、風向きを上下方向に偏向しうるようにしたルーバ(24)が設けられている。
【００１８】
図２および図４に示すように、制御装置(19)は、玄関壁(５)の外側に設けられ、出入り口(２)の外側に人(Ａ)が近づいたことを感知する第１の人感センサ(25)と、筐体(11)の上端に設けられ、花粉除去室(９)内に人(Ａ)が居ることを感知する第２の人感センサ(26)と、筐体(11)内の送風機(16)およびイオン発生器(17)とに電気的に接続されるとともに、電源(図示略)に接続され、第１および第２の人感センサ(25)(26)の作動と、内蔵したタイマ(図示略)の作動とに基づいて、送風機(16)およびイオン発生器(17)を後述するように制御するようになっている。
【００１９】
この実施形態においては、筐体(11)と送風機(16)とイオン発生器(17)とによって形成される静電気除去手段(Ｂ)と、筐体(11)と送風機(16)と集塵器(18)とによって形成される空気清浄手段(Ｃ)とが、単一の筐体(11)内に、筐体(11)と送風機(16)とを共用する形で、渾然一体となって組み込まれている。
【００２０】
次に、作用について説明する。
図１に示すように、出入り口(２)の外側に、人(Ａ)が近づくと、第１の人感センサ(25)がそのことを感知して作動し、制御装置(19)においては、それに基づいて、この第１の人感センサ(25)の作動と同時か、または予め設定した遅延時間後に、送風機(16)とイオン発生器(17)とを作動させる。
【００２１】
送風機(16)とイオン発生器(17)とを、第１の人感センサ(25)の作動と同時に作動させるか、またはどの程度の遅延時間後に作動させるかは、人(Ａ)がドア(４)開けて、静電気除去領域(20)に至るまでのおおよその時間と、送風機(16)およびイオン発生器(17)の性能とに基づいて定めるのがよい。
【００２２】
送風機(16)とイオン発生器(17)とが作動させられると、吐出口(14)から、イオン化された空気が、花粉除去室(９)内に吐出され、花粉除去室(９)内に静電気除去領域(20)が形成される。
【００２３】
また、花粉除去室(９)内の空気は、吸込口(12)より、筐体(11)内に吸い込まれ、その吸い込まれた空気に含まれる花粉等の微粒子は、集塵器(18)における集塵フィルタ(22)に捕捉される。
集塵器(18)を通って、浄化された空気は、筐体(11)内の送風路(15)を通って、吐出口(14)へと循環される。
【００２４】
花粉除去室(９)内に、最適な花粉除去雰囲気が形成されるまでには、一般的に、数秒程度はかかる。そのために、人(Ａ)が花粉除去室(９)内に入る前から、送風機(16)とイオン発生器(17)とを作動させておくのが好ましい。
【００２５】
次に、出入り口(２)の外側の人(Ａ)が、ドア(４)を開けて、花粉除去室(９)内に入ると、そのことを、第２の人感センサ(26)が感知して作動し、制御装置(19)においては、それに基づいて、本来の設定作業時間の経時が開始する。この設定作業時間は、装置全体の性能に基づいて予め設定しておく。
【００２６】
設定作業時間の経過中は、ドア(４)(８)を閉め、花粉除去室(９)内を密閉状態としておく。
設定作業時間の開始から終了までの間は、送風機(16)とイオン発生器(17)とは、作動し続ける。それらが作動していることは、イオン発生確認ランプ(13)が点灯していることで確認することができる。
【００２７】
その間に、吐出口(14)から吐出された、ブラスイオンとマイナスイオンとを含むイオン化した空気が、静電気除去領域(20)内において、人(Ａ)の着衣に付着した花粉等に当たることにより、花粉等に帯電した静電気が除去され、静電気により着衣に吸着されていた花粉等は、着衣から遊離する。
【００２８】
着衣から遊離した花粉等は、静電気除去領域(20)内の空気とともに、吸込口(12)より、筐体(11)内に吸い込まれ、集塵器(18)における集塵フィルタ(22)に捕捉される。集塵フィルタ(22)に捕捉された花粉等は、そこから落下して、受け容器(23)内に堆積する。
【００２９】
したがって、外部から家屋内に入って来た人の着衣に付着している花粉等を、集中的、かつ効果的に除去することができる。
【００３０】
設定作業時間が経過するか、または花粉除去室(９)内から人(Ａ)が居なくなったことを第２の人感センサ(26)が感知したときは、送風機(16)とイオン発生器(17)との作動が停止され、イオン発生確認ランプ(13)が消灯する。
【００３１】
以上、本発明の一実施形態について説明したが、本発明は、特許請求の範囲を逸脱しない範囲で、上記以外の形態での実施が可能である。
例えば、次のような変形が可能である。
(１)筐体(11)の正面板(11a)の上部に吐出口(14)を設け、同じく下部に吸込口(12)を設け、空気が送風路(15)内を上方に向かって流れるようにする。
(２)筐体(11)の正面板(11a)の一方の側部、または一方の側板に吐出口(14)を設け、同じく正面板(11a)の他方の側部、または他方の側板に吸込口(12)を設け、空気が筐体(11)内を横方向に流れるようにする。
(３)ドア(８)に代えて、アコーディオンカーテンを通路(１)の途中に設ける。
【図面の簡単な説明】
【００３２】
【図１】本発明の一実施形態を備える家屋の玄関部分の横断平面図である。
【図２】図１のII−II線に沿う拡大縦断面図である。
【図３】花粉除去装置の本体の正面図である。
【図４】制御回路のブロック図である。
【符号の説明】
【００３３】
(Ａ)人
(Ｂ)静電気除去手段
(Ｃ)空気清浄手段
(１)通路
(２)出入り口
(３)側壁
(４)ドア
(５)玄関壁
(６)床
(７)天井
(８)ドア
(９)花粉除去室
(10)本体
(11)筐体
(11a)正面板
(12)吸込口
(13)イオン発生確認ランプ
(14)吐出口
(15)送風路
(16)送風機
(17)イオン発生器
(18)集塵器
(19)制御装置
(20)静電気除去領域
(21)ケース
(22)集塵フィルタ
(23)受け容器
(24)ルーバ
(25)第１の人感センサ
(26)第２の人感センサ
【図１】
2006312142.tif 000003
【図２】
2006312142.tif 000004
【図３】
2006312142.tif 000005
【図４】
2006312142.tif 000006